(57)【特許請求の範囲】
【請求項１】
複数の全体画像のそれぞれに対して一部領域を指定する指定手段と、
前記指定手段で指定した各領域に対応付けて共通の文字情報を入力する入力手段と、
画像及び文字情報を表示する表示手段と、
複数の全体画像に対して前記指定手段で指定された各領域を前記入力手段で入力された共通の文字情報に対応して前記表示手段で明示するとともに、該共通の文字情報を表示する表示制御手段と、
を備えたことを特徴とする画像形成装置。
【請求項２】
前記指定手段で指定した領域は前記全体画像内に領域表示して明示されることを特徴とする請求項１に記載の画像形成装置。
【請求項３】
前記指定手段で指定した領域は前記全体画像から抽出した抽出画像の表示により明示されることを特徴とする請求項１に記載の画像形成装置。
【請求項４】
前記各領域を明示した画像を前記文字情報の周囲に配置したことを特徴とする請求項１〜請求項３のいずれかに記載の画像形成装置。
【請求項５】
複数の全体画像のそれぞれに対して一部領域を指定する指定ステップと、
前記指定手段で指定した各領域に対応付けて共通の文字情報を入力する入力ステップと、
複数の全体画像に対して前記指定手段で指定された各領域を前記入力手段で入力された共通の文字情報に対応して画像及び文字情報を表示する表示手段で明示するとともに、該共通の文字情報を表示する表示制御ステップと、
を備えたことを特徴とする画像形成プログラム。
【請求項６】
前記指定ステップで指定した領域は前記全体画像内に領域表示して明示されることを特徴とする請求項５に記載の画像形成プログラム。
【請求項７】
前記指定ステップで指定した領域は前記全体画像から抽出した抽出画像の表示により明示されることを特徴とする請求項５に記載の画像形成プログラム。
【請求項８】
前記各領域を明示した画像を前記文字情報の周囲に配置したことを特徴とする請求項５〜請求項７のいずれかに記載の画像形成プログラム。
【発明の詳細な説明】
【０００１】
【発明の属する技術分野】
本発明は、コンピュータにより画像を形成する画像形成プログラム及び画像形成装置に関し、特に、画像と文字データとを同時に形成する画像形成プログラム及び画像形成装置に関する。
【０００２】
【従来の技術】
近年、デジタルカメラの普及により撮影した画像を整理するための画像データベースの利用が拡大してきている。これらの画像データベースはコンピュータにインストールされた画像形成プログラムにより検索や閲覧が行えるようになっている。そして、画像を整理する際には各画像に対応するコメントを入力し、各画像と各画像に対応するコメントとを同時に表示画面に表示して閲覧できるようになっている。
【０００３】
また、インターネットによりアクセス可能なサーバー上に画像データを配してどこからでも画像を閲覧できるサイト（以下、「Ｗｅｂ  Ｐｈｏｔｏ  サイト」という）が多く開設されている。この場合には、上記の画像形成プログラムはサーバー上に配され、各ユーザーはＷｅｂ  Ｐｈｏｔｏ  サイトにアクセスすることによって画像データベースを操作できる。
【０００４】
これらのＷｅｂ  Ｐｈｏｔｏ  サイトでは、不特定の者が画像を閲覧して各画像に対するコメントを送信することができる。そして、各画像と各画像に対応した複数の者によるコメントとを同時に表示画面に表示して閲覧できるようになっている。
【０００５】
【発明が解決しようとする課題】
しかしながら、上記の従来の画像形成プログラムは、各画像に対するコメントを付加できるが、多くのコメントが掲示されると画像のどの部分に対するコメントであるかがわかりにくくなる。このため、画像の一部分についての情報を取得したい場合等に使用勝手が悪い問題があった。
【０００６】
本発明は、ユーザーの使用勝手を向上することのできる画像形成プログラム及び画像形成装置を提供することを目的とする。
【０００７】
【課題を解決するための手段】
上記目的を達成するために本発明の画像形成装置は、複数の全体画像のそれぞれに対して一部領域を指定する指定手段と、
前記指定手段で指定した各領域に対応付けて共通の文字情報を入力する入力手段と、
画像及び文字情報を表示する表示手段と、
複数の全体画像に対して前記指定手段で指定された各領域を前記入力手段で入力された共通の文字情報に対応して前記表示手段で明示するとともに、該共通の文字情報を表示する表示制御手段と、
を備えたことを特徴としている。
【０００８】
この構成によると、画像データには全体画像のデータと、指定領域の範囲を示すデータと、指定領域内の画像に対するコメント等のデータとが含まれる。そして、複数の全体画像に対して指定された各指定領域の内、所定の文字データに対応する各指定領域を明示した画像と、該文字データとが表示装置や印刷媒体に表示される。
【０００９】
また本発明は、上記構成の画像形成装置において、前記指定手段で指定した領域は前記全体画像内に領域表示して明示されることを特徴としている。この構成によると、複数の全体画像と文字データとが表示画面や印刷媒体に表示され、各全体画像内には共通の指定領域が明示される。
【００１０】
また本発明は、上記構成の画像形成装置において、前記指定手段で指定した領域は前記全体画像から抽出した抽出画像の表示により明示されることを特徴としている。この構成によると、各全体画像から指定領域内を抽出した抽出画像と文字データとが表示画面や印刷媒体に表示される。
【００１１】
また本発明は、上記構成の画像形成装置において、前記各領域を明示した画像を前記文字情報の周囲に配置したことを特徴としている。この構成によると、指定領域を含む複数の全体画像或いは複数の抽出画像を文字データの周囲に配置して表示画面や印刷媒体に表示される。
【００１２】
また本発明の画像形成プログラムは、複数の全体画像のそれぞれに対して一部領域を指定する指定ステップと、
前記指定手段で指定した各領域に対応付けて共通の文字情報を入力する入力ステップと、
複数の全体画像に対して前記指定手段で指定された各領域を前記入力手段で入力された共通の文字情報に対応して画像及び文字情報を表示する表示手段で明示するとともに、該共通の文字情報を表示する表示制御ステップと、
を備えたことを特徴としている。
前記指定ステップで指定した領域は前記全体画像内に領域表示して明示してもよく、前記全体画像から抽出した抽出画像の表示により明示してもよい。また、前記各領域を明示した画像を前記文字情報の周囲に配置してもよい。
【００１３】
【発明の実施の形態】
以下に本発明の実施形態を図面を参照して説明する。図１〜図５は一実施形態の画像形成プログラムの動作を示すフローチャートである。本実施形態の画像形成プログラムは、インターネットサーバーに設けられている。サーバー上に開設されたＷｅｂ  Ｐｈｏｔｏ  サイトにインターネットを介してアクセスして該画像形成プログラムを操作できるようになっている。
【００１４】
まず、ユーザーは任意のＷｅｂブラウザによりＷｅｂ  Ｐｈｏｔｏ  サイトにアクセスする（ステップ＃１１）。これにより、画像形成プログラムが起動され、ステップ＃１２で、図６に示すようなログイン画面１０が表示画面に表示される。
【００１５】
ユーザーが既にユーザーＩＤを取得している場合は、ユーザーはユーザーＩＤ及びパスワードをそれぞれテキストボックス１１、１２に入力した後、ＧＯボタン１３を選択すると、ログインすることができる（ステップ＃１３）。これにより、ステップ＃１５に移行して図２に示す「フォルダー選択」処理が呼出される。尚、終了ボタン１５を選択すると、画像形成プログラムが終了する。
【００１６】
ユーザーがユーザーＩＤをまだ取得していない場合は、ユーザー登録ボタン１４を選択するとステップ＃１４に移行し、図７に示すユーザー登録画面２０が表示画面に表示される。ユーザーは、姓、名、メールアドレスをそれぞれテキストボックス２１、２２、２３に入力する。
【００１７】
また、所望のユーザーＩＤ及びパスワードをそれぞれテキストボックス２４、２５に入力した後、テキストボックス２６に再度パスワードを入力してパスワードの確認を行う。その後、ユーザー登録ボタン２７を選択するとユーザー登録されログインすることができる。これにより、ステップ＃１５に移行して図２の「フォルダー選択」処理が呼出される。尚、終了ボタン２８を選択すると、画像形成プログラムが終了する。
【００１８】
「フォルダー選択」処理では、図８に示すようなフォルダー選択画面３０が表示される。フォルダー選択画面３０内には、リストボックス３２が設けられる。リストボックス３２には画像ファイルが保存されたフォルダー名の一覧が表示され、ユーザーはスクロールバー３１によりスクロールしてフォルダーを閲覧することができる。
【００１９】
ステップ＃１６ではイベントが発生したか否かが監視され、イベントが発生すると各イベントに対応した処理が行われるようになっている。ユーザーはスクロールバー３１によりスクロールして所望のフォルダーを選択状態にする。そして、選択ボタン３３を選択するとステップ＃１７に移行し、図３に示す「画像一覧」処理が呼出される。戻るボタン３４を選択すると、ステップ＃１８に移行して図６のログイン画面１０に戻る。終了ボタン３５を選択すると、画像形成プログラムを終了することができる。
【００２０】
「画像一覧」処理では、図９に示すような画像一覧画面４０が表示される。Ｗｅｂ  Ｐｈｏｔｏ  サイトはインターネットのサーバー上に設けられるため、誰でもアクセスして同じ画像ファイルを閲覧することができる。そして、各ユーザーが表示された画像についてのコメントをサーバーに送信することによってコメントのデータベースがＷｅｂ  Ｐｈｏｔｏ  サイトの掲示板上に公開されるようになっている。
【００２１】
画像一覧画面４０には、リストボックス４１、７２及びテキストボックス７１が設けられる。リストボックス４１は、インターネットサーバー上のデータベースに保存された画像ファイルの全体画像５２を縮小して一覧表示する。ユーザーはスクロールバー４１ａの操作によりスクロールして全体画像５２を閲覧することができる。各全体画像５２の下方にはファイル名５２ａ及びチェックボックス５２ｂが設けられている。
【００２２】
リストボックス７２は掲示板に公開されたコメントの一覧を表示し、スクロールバー７２ａの操作によりスクロールしてコメントを閲覧することができる。テキストボックス７１はキーボード等の操作によりコメントを入力するようになっている。
【００２３】
図３において、ステップ＃２１ではイベントが発生したか否かが監視され、イベントが発生すると各イベントに対応した処理が行われる。全体画像５２の一部分をマウス等のポインティングデバイスによってドラッグすると、ステップ＃２２に移行して、指定した範囲が指定領域７３として全体画像５２内に表示される。そして、ステップ＃２１に戻ってイベント監視状態になる。この操作を繰り返すことにより、複数の全体画像５２に対して複数の指定領域７３を設定することが可能である。
【００２４】
これにより、所望の指定領域７３毎にコメントを管理できるようになっている。尚、本実施形態の領域指定の方法はマウス等のドラッグにより矩形領域の２頂点を指定するようになっている。多角形の各頂点を順次クリックすること等により領域指定してもよい。
【００２５】
全体画像５２中に表示された指定領域７３は、追加ボタン７４の選択によってテキストボックス７１内のコメントと対応づけられるようになっている。イベント監視状態（ステップ＃３１）から追加ボタン７４を選択すると、ステップ＃３８に移行する。ステップ＃３８では、表示された指定領域７３の範囲が取得され、ステップ＃３９でテキストボックス７１内のテキスト（文字データ）から成るコメントが取得される。
【００２６】
そして、ステップ＃４０で、取得したコメントが画像データに取込まれてサーバーに保存され、該指定領域７３に関連するコメントとして掲示板に追加される。その後、ステップ＃２１に戻ってイベント監視状態になる。尚、指定領域７３が表示されていない場合は全体画像７３に対するコメントとして掲示板に追加される。
【００２７】
また、リストボックス７２に表示された各コメントの先頭にはチェックボックス７２ｂが設けられている。チェックボックス７２ｂをチェックした後に上記の追加ボタン７４の選択操作を行うと、チェックされたコメントに対する返答として掲示板に公開される。
【００２８】
イベント監視状態（ステップ＃２１）から指定領域７３上にカーソルを配置して右クリックすると、ステップ＃２３に移行する。ステップ＃２３ではこの指定領域７３が削除され、表示画面上から消去される。そして、ステップ＃２１に戻ってイベント監視状態になる。
【００２９】
イベント監視状態（ステップ＃２１）から表示順指定用のコンボボックス４３を操作すると、ステップ＃２４に移行して、日付順やファイル名順等の指定された画像の表示順が取得される。そして、ステップ＃２５では、取得された表示順序で全体画像５２が表示されてステップ＃２１に戻る。
【００３０】
イベント監視状態（ステップ＃２１）から表示画像選択用のラジオボタン４４、４５がクリックされると、ステップ＃２６に移行する。ステップ＃２６では「全表示」のラジオボタン４４がクリックされたか否かが判断され、「全表示」のラジオボタン４４がクリックされた場合はステップ＃２７で選択したフォルダー内の全ての全体画像５２がリストボックス４１に表示される。
【００３１】
「選択コメント関連画像のみ」のラジオボタン４５がクリックされた場合は、ステップ＃２８に移行する。ステップ＃２８では、チェックボックス７２ｂにチェックされたコメントに関連する全体画像５２がリストボックス４１に表示される。その後、ステップ＃２１に戻ってイベント監視状態になる。
【００３２】
アップロードボタン４８を選択すると、ステップ＃２９に移行して図１０に示すファイル指定画面６０が表示される。ファイル指定画面６０は画像ファイルの指定ができるようになる。ファイル指定画面６０には、インターネットのサーバー上にアップロードする画像ファイルのファイル名を入力する複数のテキストボックス６１が設けられる。
【００３３】
ユーザーはローカルフォルダに保存された画像ファイルのファイル名をテキストボックス６１に入力する。また、参照ボタン６２の操作によりローカルフォルダ内から画像ファイルを検索してテキストボックス６１にファイル名を入力できるようになっている。
【００３４】
ファイル名の入力後に実行ボタン６４を選択すると、ステップ＃３０で指定されたファイルがアップロードされ、Ｗｅｂ  Ｐｈｏｔｏ  サイト上に画像ファイルが追加される。そして、ステップ＃２１に戻って図９の画像一覧画面４０が表示される。また、ステップ＃２９、＃３０で戻るボタン６３を選択するとアップロードが行われずにステップ＃２１に戻って画像一覧画面４０が表示される。また、終了ボタン６５を選択すると画像形成プログラムが終了する。
【００３５】
イベント監視状態（ステップ＃２１）から画像削除ボタン４９が選択されると、ステップ＃３１に移行する。ステップ＃３１では、チェックボックス５２ｂに予めチェックされた画像ファイルがＷｅｂ  Ｐｈｏｔｏ  サイト上から削除される。
【００３６】
イベント監視状態（ステップ＃２１）からマーク再登録ボタン５０を選択すると、ステップ＃３２に移行する。ステップ＃３２では、領域指定（ステップ＃２２参照）により指定されて表示中の指定領域７３の範囲が取得され、該指定領域７３とチェックボックス７２ｂにチェックされたコメントとが対応づけられる。これにより、１個のコメントに対して複数の指定領域７３が関連づけられることになり、次回より該コメントを選択すると対応する指定領域７３を表示した全体画像５２が表示される（ステップ＃３４参照）。
【００３７】
イベント監視状態（ステップ＃２１）からリストボックス７２内のコメントをマウスのクリック等により指示するとチェックボックス７２ｂにチェックされ、ステップ＃３３に移行する。ステップ＃３３ではラジオボタン４４、４５の何れの選択状態かが判断される。「全表示」のラジオボタン４４が選択されている場合は、リストボックス４１に指定フォルダー内の全ての画像ファイルの全体画像５２がそのまま継続して表示され、ステップ＃２１に戻る。
【００３８】
「選択コメント関連画像のみ」のラジオボタン４５が選択されている場合は、ステップ＃３４に移行し、チェックされたコメントに対応した指定領域７３を含む全体画像５２のみがリストボックス４１に表示される。そして、ステップ＃２１に戻ってイベント監視状態になる。
【００３９】
イベント監視状態（ステップ＃２１）から削除ボタン７６を選択すると、ステップ＃３６に移行してチェックボックス７２ｂにチェックされたユーザー本人のコメントが掲示板上から削除される。クリアボタン７５を選択すると、ステップ＃３７に移行してテキストボックス７１内の入力データが消去される。その後、ステップ＃２１に戻ってイベント監視状態になる。
【００４０】
イベント監視状態（ステップ＃２１）からプリントボタン７７を選択すると、表示されている指定領域７３と、該指定領域７３対応するコメントとを印刷するために図４に示す「印刷設定」処理が呼出される。尚、戻るボタン５０を選択すると、前述の図２の「フォルダー選択」処理が呼出され、終了ボタン５１を選択すると画像形成プログラムが終了する。
【００４１】
「印刷設定」処理では図１１に示す印刷設定画面８０が表示される。印刷設定画面８０には、「目次画像の印刷」、「部分画像の印刷」、「コメントツリーの印刷」をそれぞれ選択するチェックボックス８１ａ、８１ｂ、８１ｃが設けられる。
【００４２】
「目次画像の印刷」のチェックボックス８１ａを選択すると、指定領域７３を含む全体画像５２（何れも図９参照）が印刷される。「部分画像の印刷」のチェックボックス８１ｂを選択すると、指定領域７３内の画像が拡大印刷される。「コメントツリーの印刷」のチェックボックス８１ｃを選択すると、指定領域７３に対応するコメントだけでなく、該コメントに関連するコメントがツリー表示される。例えば、指定したコメントに対する返答のコメントや、指定したコメントが返答の場合は返答の元になるコメントも同時に表示される。
【００４３】
図４において、ステップ＃５１ではイベントが発生したか否かが監視され、イベントが発生すると各イベントに対応した処理が行われる。印刷プレビューボタン９３が選択されると、ステップ＃５２でチェックボックス８１ａ、８１ｂが何れもオフになっているか否かが判断される。チェックボックス８１ａ、８１ｂが何れもオフになっている場合はステップ＃５３で警告ダイアログが表示されてステップ＃５１に戻る。
【００４４】
チェックボックス８１ａ、８１ｂの少なくとも一方がチェックされている場合は、図５に示す「プレビュー表示」処理が呼出される。尚、戻るボタン８２を選択すると前述の図３に示す「画像一覧」処理が呼出される。終了ボタン８４を選択すると画像形成プログラムが終了する。
【００４５】
「プレビュー表示」処理では図１２に示す印刷プレビュー画面９０が表示される。印刷プレビュー画面９０は印刷されるイメージ通りのレイアウトを表示する。印刷プレビュー画面９０では中央にリストボックス９１が設けられ、前述の図９の画像一覧画面４０でチェックされたコメントが表示される。「コメントツリーの印刷」のチェックボックス８１ｃ（図１１参照）を選択している場合は関連するコメントもツリー表示される。各コメントの先頭には画像一覧画面４０に表示されていたチェックを表示するためのチェック表示部９１ａが設けられる。
【００４６】
リストボックス９１の左右にはチェックされたコメントに対応する指定領域９２ａ（図９の７３に相当する）を含む全体画像９２が表示される。指定領域９２ａの枠線の色は、該枠線と重なる全体画像９２の画素の平均色相と所定値以上の差を有するように形成される。
【００４７】
また、全体画像９２に並設して指定領域９２ａ内を拡大して抽出した抽出画像９３が表示される。尚、前述の図１１のチェックボックス８１ａがチェックされていない場合は全体画像９２が表示されず、チェックボックス８１ｂがチェックされていない場合は抽出画像９３が表示されない。
【００４８】
印刷媒体の１ページ内に全体画像９２及び抽出画像９３が入らない場合は、２ページ目以降にも１ページ目と同じコメントを表示したリストボックス９１が表示される。そして、リストボックス７１の左右に１ページ目で表示できなかった残りの全体画像９２及び抽出画像９３が表示される。尚、リストボックス９１の周囲に全体画像９２及び抽出画像９３を配置することによって、各画像とコメントとが接近し、指定領域９２ａに対応するコメントを容易に把握できるようになっている。
【００４９】
図５において、ステップ＃４３ではイベントが発生したか否かが監視され、イベントが発生すると各イベントに対応した処理が行われる。前ページボタン９４及び次ページボタン９５が選択されると、それぞれステップ＃４４、＃４５で前ページまたは次ページの印刷イメージが表示される。そして、イベント監視状態に戻る。
【００５０】
イベント監視状態（ステップ＃４３）から印刷実行ボタン９６が選択されると、ステップ＃４６に移行して印刷プレビュー画面９０と同じイメージで印刷が行われる。印刷が終了すると、ステップ＃４７で前述の図４に示す「画像一覧」処理が呼出される。また、戻るボタン９７が選択されると前述の図５に示す「印刷設定」処理が呼出され、終了ボタン９８が選択されると画像形成プログラムが終了する。
【００５１】
本実施形態によると、指定したコメントと、該コメントに対応する指定領域を明示した画像とが表示装置または印刷媒体に同時に表示されるので、一部の領域に対応するコメントを容易に把握することができユーザーの使用勝手を向上させることができる。
【００５２】
また、選択されたコメントに対応する複数の全体画像内の複数の指定領域が同時に表示されるので比較が容易になりユーザーの使用勝手を更に向上させることができる。更に、印刷によりコンピュータのない環境でも一部の指定領域に対応するコメントの内容を容易に把握することができユーザーの利便性を向上させることができる。
【００５３】
尚、指定領域７３（図９参照）の指定及びコメントの入力を「画像一覧」処理（図３参照）により行っているが、これらの機能を省き、指定領域及びコメントが既に書き込まれた画像データのファイルを本実施形態と同様の画像形成プログラムにより表示或いは印刷してもよい。
【００５４】
また、本実施形態では画像形成プログラムをインターネットのサーバー上に設けているが、ローカルドライブにインストールしてスタンドアロンで使用することも可能である。
【００５５】
【発明の効果】
本発明によると、指定したコメントと、該コメントに対応する指定領域を明示した画像とが表示装置または印刷媒体に同時に表示されるので、一部の領域に対応するコメントを容易に把握することができユーザーの使用勝手を向上させることができる。
【００５６】
また、選択されたコメントに対応する複数の全体画像内の複数の指定領域が同時に表示されるので比較が容易になりユーザーの使用勝手を更に向上させることができる。更に、印刷によりコンピュータのない環境でも一部の指定領域に対応するコメントの内容を容易に把握することができユーザーの利便性を向上させることができる。
【００５７】
また本発明によると、各全体画像内に該指定領域を表示して各指定領域を明示するので、簡単に指定領域とコメントとの対応を把握することができる。
【００５８】
また本発明によると、各全体画像から該指定領域内を抽出した抽出画像を表示して各指定領域を明示するので、簡単に指定領域とコメントとの対応を把握することができる。
【００５９】
また本発明によると、各指定領域を明示した画像を文字データの周囲に配置しているので、各画像とコメントとが接近し、指定領域に対応するコメントを容易に把握できる。
【図面の簡単な説明】
【図１】は、本発明の実施形態の画像形成プログラムを示すフローチャートである。
【図２】は、本発明の実施形態の画像形成プログラムのフォルダー選択処理を示すフローチャートである。
【図３】は、本発明の実施形態の画像形成プログラムの画像一覧処理を示すフローチャートである。
【図４】は、本発明の実施形態の画像形成プログラムの印刷設定処理を示すフローチャートである。
【図５】は、本発明の実施形態の画像形成プログラムのプレビュー表示処理を示すフローチャートである。
【図６】は、本発明の実施形態の画像形成プログラムのログイン画面を示す図である。
【図７】は、本発明の実施形態の画像形成プログラムのユーザー登録画面を示す図である。
【図８】は、本発明の実施形態の画像形成プログラムのフォルダー選択画面を示す図である。
【図９】は、本発明の実施形態の画像形成プログラムの画像一覧画面を示す図である。
【図１０】は、本発明の実施形態の画像形成プログラムのファイル指定画面を示す図である。
【図１１】は、本発明の実施形態の画像形成プログラムの印刷設定画面を示す図である。
【図１２】は、本発明の実施形態の画像形成プログラムのプレビュー表示画面を示す図である。
【符号の説明】
１０    ログイン画面
２０    ユーザー登録画面
３０    フォルダー選択画面
４０    画像一覧画面
５２、９２  全体画像
６０    ファイル選択画面
７２、９１    リストボックス
７３、９２ａ  指定領域
８０    印刷設定画面
９０    印刷プレビュー画面
９３    抽出画像
【図１】
0003596523.tif 000002
【図２】
0003596523.tif 000003
【図３】
0003596523.tif 000004
【図４】
0003596523.tif 000005
【図５】
0003596523.tif 000006
【図６】
0003596523.tif 000007
【図７】
0003596523.tif 000008
【図８】
0003596523.tif 000009
【図９】
0003596523.tif 000010
【図１０】
0003596523.tif 000011
【図１１】
0003596523.tif 000012
【図１２】
0003596523.tif 000013